(57)【要約】  パイプシャフトモジュール１は、パイプ接続ボックス５と、パイプ接続ボックス５内に突出し、パイプ接続ボックスに対してその長手方向に沿って摺動可能にパイプ接続ボックスに設けられる少なくとも１つのパイプ７ａ、７ｂ、７ｃとを備える。パイプ接続ボックス５は、パイプシャフトモジュール１に設けた各パイプ７ａ、７ｂ、７ｃに対して少なくとも１つのパイプコネクタ１３ａ、１３ｂ、１３ｃを含むパイプ接続装置１１を備える。パイプ接続装置１１は、パイプ接続ボックス５内で少なくとも２つの異なる位置に移動できるように、パイプ接続ボックス５内に取り付けられている。一方の位置は、パイプが接続される接続位置である。コネクタ１３ａ、１３ｂ、１３ｃは、１つのパイプコネクタ１３ａ、１３ｂ、１３ｃをパイプシャフトモジュール１の各パイプ７ａ、７ｂ、７ｃに接続できるように配置されている。
2021525845.tif 000002
【特許請求の範囲】
【請求項１】
建物のパイプシャフト（３）に設けられ、パイプシャフト内の少なくとも１本のパイプに接続されるように構成されたパイプシャフトモジュール（１）であって、
パイプ接続ボックス（５）と、
前記パイプ接続ボックス（５）内に突出し、前記パイプ接続ボックスの長手方向に沿ってスライド可能に設けられ、第１端部（９ａ、９ｂ、９ｃ）がパイプ接続ボックス（５）に突出する少なくとも１つのパイプ（７ａ、７ｂ、７ｃ）と、
を備え、
前記パイプ接続ボックス（５）は、
パイプシャフトモジュール（１）に設けた各パイプ（７ａ、７ｂ、７ｃ）に対して少なくとも１つのパイプコネクタ（１３ａ、１３ｂ、１３ｃ）を含み、パイプ接続ボックス（５）内で少なくとも２つの異なる位置に移動できるように、パイプ接続ボックス（５）内に取り付けられ、１つの位置は、１つのパイプコネクタ（１３ａ、１３ｂ、１３ｃ）がパイプシャフトモジュール（１）の各パイプ（７ａ、７ｂ、７ｃ）に接続可能となるように配置される接続位置であるパイプ接続装置（１１）と、
前記パイプ接続装置（１１）の少なくとも１つのパイプコネクタ（１３ａ、１３ｂ、１３ｃ）を介してパイプシャフトモジュール（１）の少なくとも１つのパイプ（７ａ、７ｂ、７ｃ）と接続するために、建物のパイプシャフト（３）の別の部分から少なくとも１つのパイプ（１７ａ、１７ｂ、１７ｃ）を受け入れるように構成された少なくとも１つのパイプ受入口（１５ａ、１５ｂ、１５ｃ）と、
を備える、パイプシャフトモジュール（１）。
【請求項２】
前記パイプ接続装置（１１）は、少なくとも１つのパイプ（７ａ、７ｂ、７ｃ）の伸張方向ではない位置に各パイプコネクタ（１３ａ、１３ｂ、１３ｃ）を設けた第１位置と、接続位置である第２位置とに移動可能である、請求項１に記載のパイプシャフトモジュール。
【請求項３】
前記各パイプコネクタ（１３ａ、１３ｂ、１３ｃ）は流体経路（１４ａ、１４ｂ、１４ｃ）を含み、前記流体経路は、パイプコネクタ（１３ａ、１３ｂ、１３ｃ）が接続位置で前記少なくとも１つのパイプ（７ａ、７ｂ、７ｃ）に接続されるときの、前記少なくとも１本のパイプ（７ａ、７ｂ、７ｃ）の延長部である、請求項１又は２に記載のパイプシャフトモジュール。
【請求項４】
前記各流体経路（１４ａ、１４ｂ、１４ｃ）は、前記パイプ接続ボックス（５）の高さの少なくとも半分の長さを有する、請求項３に記載のパイプシャフトモジュール。
【請求項５】
前記パイプ接続ボックス（５）の前記高さは、０．３ｍから１．５ｍである、請求項４に記載のパイプシャフトモジュール。
【請求項６】
前記パイプコネクタ（１３ａ、１３ｂ、１３ｃ）は、流体経路（１４ａ、１４ｂ、１４ｃ）を備えるパイプセクションであり、前記パイプセクションは、互いに平行に配置され、前記流体経路（１４ａ、１４ｂ、１４ｃ）が、少なくとも１本のパイプ（７ａ、７ｂ、７ｃ）の長手方向とほぼ同じ方向に沿って設けられている、請求項１から５のいずれか１項に記載のパイプシャフトモジュール。
【請求項７】
前記パイプ接続装置（１１）は、少なくとも１本のパイプ（７ａ、７ｂ、７ｃ）の伸張方向に対して実質的に横方向でパイプ接続ボックス（５）内を移動できるように、パイプ接続ボックス（５）内に取り付けられている、請求項１から６のいずれか１項に記載のパイプシャフトモジュール。
【請求項８】
前記パイプ接続ボックス（５）に取り付けられた少なくとも２本のパイプ（７ａ、７ｂ、７ｃ）を備え、前記パイプ接続装置（１１）は、少なくとも２つのパイプ接続部（１３ａ、１３ｂ、１３ｃ）を備え、前記パイプ接続ボックス（５）は、少なくとも２つのパイプ受入口（１５ａ、１５ｂ、１５ｃ）を備える、請求項１から７のいずれか１項に記載のパイプシャフトモジュール。
【請求項９】
前記パイプシャフトモジュールは、パイプシャフト内で他のパイプに取り付けられる前に、第１取付段階で取り付けることができ、前記第１取付段階では、少なくとも１本のパイプ（７ａ、７ｂ、７ｃ）が、パイプ接続ボックス（５）の全高の少なくとも半分でパイプ接続ボックス（５）内に突出するように設けられ、第１取付段階での前記パイプ接続装置（１１）は、前記少なくとも１つのパイプコネクタ（１３ａ、１３ｂ、１３ｃ）が前記少なくとも１本のパイプ（７ａ、７ｂ、７ｃ）と平行な第１位置に設けられている、請求項１から８のいずれか１項に記載のパイプシャフトモジュール。
【請求項１０】
前記パイプ接続ボックス（５）の外側に設けられ、前記各パイプ（７ａ、７ｂ、７ｃ）に接続され、前記パイプを前記パイプ接続ボックス（５）に対して一緒にスライドさせることができるパイプ保持装置（２１）をさらに備える、請求項１から９のいずれか１項に記載のパイプシャフトモジュール。
【請求項１１】
前記パイプをスライドさせてパイプ接続ボックス（５）内に突出させるために、前記パイプ保持装置（２１）を案内することができる少なくとも１本のガイドレール（２３ａ、２３ｂ）をさらに備え、前記少なくとも１本のガイドレールは、パイプ保持装置（２１）を少なくとも１本のガイドレールに対して少なくとも２つの異なる位置にロックするように構成されることにより、パイプがパイプ接続ボックス（５）内に異なる量で突出する少なくとも２つの異なる位置を可能にする少なくとも１つのロック機能を備える、請求項１０に記載のパイプシャフトモジュール。
【請求項１２】
前記請求項１から１１のいずれか１項に記載の他のパイプシャフトモジュールに接続されるように構成されている、前記請求項１から１１のいずれか１項に記載のパイプシャフトモジュール。
【請求項１３】
建物のパイプシャフト（３）に前記請求項１から１２のいずれか１項に記載のパイプシャフトモジュールを設けるステップ（Ｓ１）と、
前記パイプシャフトモジュール（１）の前記少なくとも１本のパイプ（７ａ、７ｂ、７ｃ）をスライドさせ、前記少なくとも１本のパイプ（７ａ、７ｂ、７ｃ）をスライド後に、スライド前よりも小さい距離だけ前記パイプ接続ボックス（５）内に突出させるステップ（Ｓ３）と、
前記パイプ接続ボックス（５）内のパイプ接続装置（１１）を前記パイプコネクタ（１３ａ、１３ｂ、１３ｃ）が前記パイプシャフトモジュール（１）の各パイプ（７ａ、７ｂ、７ｃ）に接続可能となるように配置される前記接続位置に移動させるステップ（Ｓ５）と、
前記各パイプ（７ａ、７ｂ、７ｃ）の第１端部（９ａ、９ｂ、９ｃ）を１本のパイプに接続するステップ（Ｓ７）と、
を備える方法。
【請求項１４】
さらに、少なくとも１本のパイプ（７ａ、７ｂ、７ｃ）の第１端部（９ａ、９ｂ、９ｃ）とは反対側に位置する第２端部（１０ａ、１０ｂ、１０ｃ）を、請求項１から１２のいずれか１項に記載のパイプシャフトモジュール（１）のパイプコネクタ（１３ａ、１３ｂ、１３ｃ）に接続するステップを備え、一方のパイプシャフトモジュール（１）がパイプシャフト（３）の他の部分に設けられている、請求項１３に記載の方法。
【請求項１５】
さらに、異なるパイプシャフトモジュールから２本のパイプが各パイプコネクタ（１３ａ、１３ｂ、１３ｃ）を介して接続されるように、第１パイプシャフトモジュール（１）の各パイプコネクタ（１３ａ、１３ｂ、１３ｃ）を、パイプシャフト（３）の他の部分に設けた他の各パイプシャフトモジュール（１）からの１本のパイプ（７ａ、７ｂ、７ｃ）に接続するステップを備える、請求項１３又は１４に記載の方法。
【請求項１６】
さらに、接続後にパイプ接続ボックス（５）の外側に設けられるパイプ（７ａ、７ｂ、７ｃ）の一部を分離するステップ（Ｓ１３）を備える、請求項１３から１５のいずれか１項に記載の方法。
【請求項１７】
前記パイプ接続ボックス（５）に対してパイプシャフトモジュール（１）の少なくとも１本のパイプ（７ａ、７ｂ、７ｃ）をスライドさせるステップ（Ｓ３）は、少なくとも１本のガイドレール（２３ａ、２３ｂ）に沿ってパイプ接続ボックス（５）の外側でパイプ（７ａ、７ｂ、７ｃ）を保持し、パイプ保持装置（２１）を、少なくとも２つの異なる位置で少なくとも１本のガイドレール（２３ａ、２３ｂ）にロックするパイプ保持装置（２１）をガイドすることにより設けられている、請求項１３から１６のいずれか１項に記載の方法。
【発明の詳細な説明】
【技術分野】
【０００１】
本発明は、パイプシャフトモジュール、及びパイプシャフトモジュールを建物のパイプシャフトに取り付けるための方法に関する。
【背景技術】
【０００２】
パイプが建物のパイプシャフトに接続される場合、多くは、パイプ接続ボックス内で行われる。漏れを、より簡単に検出して修理するため、全てのパイプの接続をパイプ接続ボックス内に集めるのが適切である。例えば、建物の各パイプシャフトにつき、各フロアに１つのパイプ接続ボックスを設けることができる。
【発明の概要】
【発明が解決しようとする課題】
【０００３】
本発明の目的は、パイプシャフトへのパイプの便利な取り付けを可能にするパイプシャフトモジュールを提供することである。
【課題を解決するための手段】
【０００４】
これは、請求項１に記載のパイプシャフトモジュール、及び請求項１３に記載の建物のパイプシャフトにパイプシャフトモジュールを取り付ける方法によって達成される。
【０００５】
本発明の一態様によれば、建物のパイプシャフトに設けられ、パイプシャフト内の少なくとも１つのパイプに接続されるように構成されたパイプシャフトモジュールであって、
パイプ接続ボックスと、
前記パイプ接続ボックス内に突出し、パイプ接続ボックスの長手方向に沿ってスライド可能に設けられ、第１端部がパイプ接続ボックスに突出する少なくとも１つのパイプと、
を備え、
前記パイプ接続ボックスは、
パイプシャフトモジュールに設けた各パイプに対して少なくとも１つのパイプコネクタを含み、パイプ接続ボックス内で少なくとも２つの異なる位置に移動できるように、パイプ接続ボックス内に取り付けられ、１つの位置は、１つのパイプコネクタがパイプシャフトモジュールの各パイプに接続可能となるように配置される接続位置であるパイプ接続装置と、
前記パイプ接続装置の少なくとも１つのパイプコネクタを介してパイプシャフトモジュールの少なくとも１つのパイプと接続するために、建物のパイプシャフトの別の部分から少なくとも１つのパイプを受け入れるように構成された少なくとも１つのパイプ受入口と、
を備えるパイプシャフトモジュールを提供する。
本発明の別の態様によれば、本発明によるパイプシャフトモジュールを建物のパイプシャフトに取り付けるための方法であって、
建物のパイプシャフトにパイプシャフトモジュールを設けるステップと、
スライド後の少なくとも１本のパイプがスライド前よりも短い距離だけパイプ接続ボックス内に突出するような方向に、パイプ接続ボックスに対してパイプシャフトモジュールの少なくとも１本のパイプをスライドさせるステップと、
パイプ接続ボックス内のパイプ接続装置を、パイプコネクタがパイプシャフトモジュールの各パイプに接続できるようにパイプコネクタが配置される接続位置に移動させるステップと、
各パイプの第１端部をそれぞれ１つのパイプコネクタで接続するステップと、
を備える方法を提供する。
【０００６】
本発明に係るパイプシャフトモジュールを使用することにより、パイプはパイプシャフトに簡単かつ適切に取り付けられる。さらに、全てのパイプ接続は、発生する可能性のある漏れの検出と修復に適したパイプ接続ボックス内で行われる。さらに、本発明に係るパイプシャフトモジュールを用いて、パイプ及びパイプ接続ボックスは、パイプ接続ボックス内に突出するように配置されたパイプと共に送達することができる。これにより、パイプシャフトへのパイプの取り付けが容易になる。パイプシャフトモジュール、例えば、建物の各フロアに１つのパイプシャフトモジュールがパイプシャフトに設けられている。そして、パイプが既にパイプ接続ボックスに突き出た状態で設けられているため、パイプとパイプ接続ボックスを別々に送達する従来の方法と比較した取り付けのためのステップが省略される。次に、本発明によれば、パイプは、送達中と比較してパイプ接続ボックスの外側に突出するようにパイプ接続ボックスに対してスライドされた後、パイプ接続ボックス内に設けたパイプコネクタを接続位置に移動させることができる。パイプコネクタは、接続ボックスの高さとほぼ同じ長さでパイプ接続することができる。パイプ接続ボックス内でパイプコネクタを移動できるため、送達中及びパイプシャフトモジュールの取付前に、パイプをパイプ接続ボックス内に突き出させることができる。パイプの一部は、パイプ接続ボックス内にパイプコネクタと並べて設けることができるため、送達中及びパイプ接続前のパイプシャフトモジュールのパイプシャフトへの位置決め中に、パイプ接続ボックスとパイプの両方を備えるコンパクトで扱いやすいパイプシャフトモジュールを使用したより適切な取付手順が提供される。
【０００７】
本発明の一実施形態では、前記パイプ接続装置は、パイプシャフトモジュールの少なくとも１つのパイプの伸張方向ではない位置に各パイプコネクタを設けた第１位置と、接続位置である第２位置とに移動可能である。
【０００８】
本発明の一実施形態では、各パイプコネクタは流体経路を含み、前記流体経路は、パイプコネクタが接続位置で前記少なくとも１つのパイプに接続されるときの、前記少なくとも１つのパイプの延長部分である。
【０００９】
本発明の一実施形態では、各流体経路は、パイプ接続ボックスの高さの少なくとも半分の長さを有する。
【００１０】
本発明の一実施形態では、パイプ接続ボックスの前記高さは、０．３ｍから１．５ｍである。
【００１１】
本発明の一実施形態では、前記パイプコネクタは、流体経路を備えるパイプセクションであり、前記パイプセクションは、互いに平行に配置され、前記流体経路が、パイプシャフトモジュールの少なくとも１本のパイプの長手方向とほぼ同じ方向に沿って設けられている。
【００１２】
本発明の一実施形態では、前記パイプ接続装置は、パイプシャフトモジュールの少なくとも１本のパイプの伸張方向に対して実質的に横方向でパイプ接続ボックス内を移動できるように、パイプ接続ボックス内に取り付けられている。
【００１３】
本発明の一実施形態では、パイプシャフトモジュールは、パイプ接続ボックスに取り付けられた少なくとも２本のパイプを備え、前記パイプ接続装置は、少なくとも２つのパイプ接続部を備え、前記パイプ接続ボックスは、少なくとも２つのパイプ受入口を備える。本発明の一実施形態では、パイプシャフトモジュールは、３本のパイプ、３つのパイプ接続部及び３つのパイプ受入口を備える。
【００１４】
本発明の一実施形態では、前記パイプシャフトモジュールは、パイプシャフト内で他のパイプに取り付けられる前に、第１取付段階で取り付けることができ、前記第１取付段階では、少なくとも１本のパイプが、パイプ接続ボックスの全高の少なくとも半分でパイプ接続ボックス内に突出するように設けられ、第１取付段階での前記パイプ接続装置は、前記少なくとも１つのパイプコネクタが前記少なくとも１本のパイプと平行な第１位置に設けられている。
【００１５】
本発明の一実施形態では、パイプ接続ボックスの外側に設けられ、各パイプに接続され、パイプをパイプ接続ボックスに対して一緒にスライドさせることができるパイプ保持装置をさらに備える。
【００１６】
本発明の一実施形態では、パイプシャフトモジュールは、パイプをスライドさせてパイプ接続ボックス内に突出させるために、前記パイプ保持装置を案内することができる少なくとも１つのガイドレールをさらに備え、前記少なくとも１つのガイドレールは、パイプ保持装置を少なくとも１つのガイドレールに対して少なくとも２つの異なる位置にロックするように構成されることにより、パイプがパイプ接続ボックス内に異なる量で突出する少なくとも２つの異なる位置を可能にする少なくとも１つのロック機能を備える。
【００１７】
本発明の一実施形態では、それは本発明に係る別のパイプシャフトモジュールに接続されるように構成される。
【００１８】
本発明の一実施形態では、前記方法は、少なくとも１つのパイプの第１端部とは反対側の端部である第２端部を、本発明に係るパイプシャフトの別の部分に設けた別のパイプシャフトモジュールのパイプコネクタと接続するステップをさらに備える。
【００１９】
本発明の一実施形態では、前記方法は、第１パイプシャフトモジュールの各パイプコネクタを、異なるパイプシャフトモジュールからのパイプが各パイプコネクタを介して接続されるように、パイプシャフトの別の部分に設けた他方のパイプシャフトモジュールから延びる一方のパイプの第２端部と接続するステップをさらに備える。
【００２０】
本発明の一実施形態では、前記方法は、接続後にパイプ接続ボックスの外側に設けられるチューブ部を分離するステップをさらに備える。
【００２１】
本発明の一実施形態では、パイプ接続ボックスに対してパイプシャフトモジュールの少なくとも１つのパイプをスライドさせるステップは、パイプ接続ボックスの外側にパイプを保持するパイプ保持装置をガイドレールに沿って誘導し、前記パイプ保持装置を少なくとも２つの異なる位置でガイドレールにロックすることによって提供される。
【図面の簡単な説明】
【００２２】
【図１Ａ】本発明の一実施形態による、第１取付段階にあり、建物のパイプシャフトに設けられたパイプシャフトモジュールを概略的に示す。
【図１Ｂ】パイプが下方にスライドして接続ボックスへの突出が少なくなった第２取付段階で、図１Ａに示すのと同じパイプシャフトモジュールを概略的に示す。
【図１Ｃ】接続ステージである第３取り付け段階で、図１Ａ及び図１Ｂに示したものと同じパイプシャフトモジュールを概略的に示す。
【図１Ｄ】別のパイプシャフトモジュールからパイプに接続されたときの第４取付段階で、図１から図１Ｃに示されるものと同じパイプシャフトモジュールを概略的に示す。
【図２】本発明の一実施形態に係る方法のフローチャートである。
【発明を実施するための形態】
【００２３】
図１Ａから図１Ｄは、異なる取付段階における本発明の一実施形態に係るパイプシャフトモジュール１を概略的に示す。図１Ａでは、パイプシャフトモジュール１は、送達段階である第１取付段階にある。図１Ｂでは、パイプシャフトモジュールは、パイプが滑り落ちた第２取付段階にある。図１Ｃでは、パイプシャフトモジュール１は接続段階である第３取付段階にある。図１Ｄでは、パイプシャフトはモジュールが別のパイプシャフトモジュールに接続されている第４取付段階にある。
【００２４】
本発明に係るパイプシャフトモジュール１は、建物のパイプシャフト３に設けられ、パイプシャフト内の他の少なくとも１つのパイプに接続されるように構成されている。パイプシャフトモジュール１は、パイプ接続ボックス５を備える。建物のパイプシャフト内のパイプの接続部分は、パイプ接続ボックス５内に設けられている。本発明に係るパイプシャフトモジュールは、少なくとも１本のパイプ７ａ、７ｂ、７ｃをさらに備え、パイプ接続ボックス５内に突出し、パイプ接続ボックスに対してその長手方向に沿ってスライドできるようにパイプ接続ボックスに設けられている。パイプ７ａ、７ｂ、７ｃの少なくとも１つの第１端部９ａ、９ｂ、９ｃは、パイプ接続ボックス５内に突出していてもよいし、突出していなくてもよい。図１Ａから図１Ｄに示される本発明の実施形態では、３つのパイプ７ａ、７ｂ、７ｃがパイプシャフトモジュール１に設けられている。本発明によれば、パイプの数も同様に設けることができる。例えば、１、２又は３以上のパイプを設けることができる。３本のパイプ７ａ、７ｂ、７ｃを設ける場合、１本は温水用、１本は冷水用、1本は温水循環用に使用することができる。パイプは、加熱又は冷却システムに使用することができる。つまり、加熱媒体と冷却媒体をパイプに供給することができる。
【００２５】
さらに、本発明によれば、前記パイプ接続ボックス５は、パイプシャフトモジュール１に設けた各パイプ７ａ、７ｂ、７ｃに対して少なくとも１つのパイプコネクタ１３ａ、１３ｂ、１３ｃを有するパイプ接続装置１１を備える。パイプコネクタ１３ａ、１３ｂ、１３ｃを設けているが、別の数のパイプコネクタも同様に設けることができる。パイプコネクタ１３ａ、１３ｂ、１３ｃは、流体経路１４ａ、１４ｂ、１４ｃをそれぞれ備える。流体経路１４ａ、１４ｂ、１４ｃは、パイプコネクタ１３ａ、１３ｂ、１３ｃが接続位置で前記パイプ７ａ、７ｂ、７ｃに接続されている場合、前記パイプ７ａ、７ｂ、７ｃの延長部となる。各流体経路１４ａ、１４ｂ、１４ｃは、例えば、パイプ接続ボックス５の高さｈの少なくとも半分の長さを有する。また、流体経路１４ａ、１４ｂ、１４ｃの長さは、パイプ接続ボックス５の高さｈとほぼ同じとすることもでき、パイプ接続ボックス５の内部に設けるパイプ接続のためのスペースが節約される。パイプ接続ボックス５の高さは、例えば、０．３ｍから１．５ｍ、あるいは０．５ｍから１．２である。
【００２６】
図１Ａから図１Ｄに示される本発明の実施形態では、パイプコネクタ１３ａ、１３ｂ、１３ｃは、互いに平行に配置され、パイプシャフトモジュール１のパイプ７ａ、７ｂ、７ｃの長手方向とほぼ同じ方向に沿う流体経路１４ａ、１４ｂ、１４ｃを設けたパイプセクション１３ａ、１３ｂ、１３ｃである。代替のパイプセクションは、ドリル穴を備えたブロックである。パイプコネクタ１３ａ、１３ｂ、１３ｃの長さＩＩは、例えば、接続ボックスの高さｈの少なくとも半分、又はパイプ接続ボックス５の高さｈとほぼ同じ長さである。パイプコネクタ１３ａ、１３ｂ、１３ｃの長さＩＩは、パイプコネクタ１３ａ、１３ｂ、１３ｃの両端部のパイプへの接続がパイプ接続ボックス５の内側で行われるべきであるため、パイプ接続ボックス５の高さｈよりも若干短いのが適切である。パイプシャフトモジュールに設けたパイプ７ａ、７ｂ、７ｃの長さ１２をパイプコネクタ１３ａ、１３ｂ、１３ｃの長さＩＩと同じ長さまで短くすることができるので、パイプコネクタ１３ａ、１３ｂ、１３ｃ（つまり、流体経路１４ａ、１４ｂ、１４ｃの長さ）及び接続ボックス５の高さｈは本発明にとって重要である。パイプ７ａ、７ｂ、７ｃ及びパイプコネクタ１３ａ、１３ｂ、１３ｃの上部（図面の方向参照）は、図１Ａに示すように、送達中及び第１取付段階中に、パイプ接続ボックス５内に並べて配置される。これにより、送達中及び第１取付段階中のパイプシャフトモジュールの全長が短縮され、パイプシャフトモジュールの取り扱い及び取り付けが容易になる。パイプコネクタ１３ａ、１３ｂ、１３ｃの長さＩＩ及びパイプ接続ボックス５の高さｈは、建物の床の間の梁の厚さに合わせることができるので、取り付けが容易である。これにより、送達位置にあるパイプシャフトモジュールの全長を建物の床からの天井の高さに合わせることができ、取り付けが容易になる。前記パイプ接続装置１１は、パイプ接続ボックス５内に取り付けた本発明に係るものであり、パイプ接続ボックス５内で少なくとも２つの異なる位置に移動させることができ、一方の位置は、パイプコネクタ１３ａ、１３ｂ、１３ｃの接続位置である。１つのパイプコネクタ１３ａ、１３ｂ、１３ｃがパイプシャフトモジュール１の各パイプ７ａ、７ｂ、７ｃに接続できるように配置される。パイプコネクタ１３ａ、１３ｂ、１３ｃは、第１端部９ａ、９ｂ、９ｃに接続される。パイプ７ａ、７ｂ、７ｃのパイプコネクタ１３ａ、１３ｂ、１３ｃは、例えば、パイプ接続装置１１の固定位置に取り付けられ、パイプ接続装置１１を異なる位置に移動させることができる。第１位置は送達位置と呼ばれ、この位置では、パイプコネクタ１３ａ、１３ｂ、１３ｃは、パイプ７ａ、７ｂ、７ｃとは同一直線上には設けられていない。すなわち、各パイプコネクタ１３ａ、１３ｂ、１３ｃは、パイプシャフトモジュール１のパイプ７ａ、７ｂ、７ｃの伸張方向ではない位置に設けられている。第２位置は接続位置と呼ばれ、この位置では、パイプコネクタ１３ａ、１３ｂ、１３ｃは、それらを１本のパイプにそれぞれ接続できる位置に移動されている。本実施形態では、パイプ接続装置１１は、パイプシャフトモジュールのパイプ７ａ、７ｂ、７ｃの伸張に対して実質的に横方向にパイプ接続ボックス内で移動できるように、パイプ接続ボックス５内に取り付けられている。図１に示す実施形態では、パイプ接続装置１１は、左から右に移動させることにより送達位置と接続位置との間を移動する。送達位置は、パイプの反対側、パイプの前方側、またはパイプの後方側とすることもできる。すなわち、パイプ接続装置１１は、パイプ７ａ、７ｂ、７ｃ及び図面の方向に関連して前方又は後方に移動させることもできる。本発明の別の実施形態では、パイプ接続装置１１の移動方向は、パイプの伸張に対して横方向である必要はなく、任意の角度とすることができる。
【００２７】
パイプセクション１３ａ、１３ｂ、１３ｃは、図１Ｃに示すように、第３取付段階において、パイプ７ａ、７ｂ、７ｃの延長部として設けられているが、パイプ接続装置１１が第２位置（接続位置）に移動される前である。パイプ７ａ、７ｂ、７ｃは、スライド後のパイプ７ａ、７ｂ、７ｃがスライド前よりも短い距離だけパイプ接続ボックス５内に突出するような方向に、パイプ接続ボックス５に対してスライドさせる必要がある。つまり送達段階である第１取付段階では、パイプ７ａ、７ｂ、７ｃは、第２及び第３取付段階よりもパイプ接続ボックス内に突出している。これは、パイプ接続ボックス５内でパイプ接続装置１１を移動させる可能性があるためである。パイプコネクタ１３ａ、１３ｂ、１３ｃをパイプ７ａ、７ｂ、７ｃの延長部から離して設けることにより、送達中、パイプ接続ボックス５にさらに突出させるために、パイプをスライドさせることができる。この結果、よりコンパクトなモジュールとなる。また、第１取付段階（図１Ａ）から第２取付段階（図１Ｂ）に移動させるとき、パイプ７ａ、７ｂ、７ｃは、パイプ接続ボックス５への突出が少なくなるようにスライドし、第２取付段階から第３取付段階では、パイプ接続装置１１が第１位置から第２位置に移動される。パイプ接続装置１１の第２位置では、１つのパイプセクション（パイプコネクタ）１３ａ、１３ｂ、１３ｃが、パイプの延長部として、パイプ７ａ、７ｂ、７ｃのそれぞれと同じ長さ方向に提供される。その後、パイプ７ａ、７ｂ、７ｃをパイプコネクタ１３ａ、１３ｂ、１３ｃに接続することができる。
【００２８】
パイプ接続ボックス５の高さｈは、便利で取り扱いが容易なパイプシャフトモジュールを設けるようにして採用することができる。パイプ７ａ、７ｂ、７ｃは、例えば、第１取付段階において、ボックスのほぼ全体の高さｈに沿って、又は高さの少なくとも半分に沿って、パイプ接続ボックス５の内側に突出させることができる。
【００２９】
パイプ接続ボックスはさらに、少なくとも１つのパイプ７ａに接続するために、建物のパイプシャフト３の別の部分から少なくとも１つのパイプ７ａ、７ｂ、７ｃを受け入れるように構成された少なくとも１つのパイプ受入口１５ａ、１５ｂ、１５ｃを備える。本発明の実施形態では、３つのパイプ受入口１５ａ、１５ｂ、１５ｃがパイプ接続ボックスに設けられている。これらパイプ受入口１５ａ、１５ｂ、１５ｃは、パイプ７ａ、７ｂ、７ｃがパイプ接続ボックス５に突出しているところからパイプ接続ボックス５の反対側に設けられている。さらに、パイプ受入口１５ａ、１５ｂ、１５ｃは、パイプ受入口１５ａ、１５ｂ、１５ｃを介して受け入れられる別のパイプシャフトモジュールからのパイプ７ａ、７ｂ、７ｃがパイプコネクタ１３ａを通るパイプシャフトモジュール１の各パイプ７ａ、７ｂ、７ｃに接続されるように、各パイプ７ａ、７ｂ、７ｃの伸張方向に沿って配置されている。
【００３０】
本発明の実施形態では、パイプシャフトモジュール１は、パイプ７ａ、７ｂ、７ｃを一緒にスライドさせて一緒に保持するために、パイプ接続ボックス５の外側に設けたパイプ保持装置２１をさらに備える。しかしながら、この構成は任意であり、本発明には必ずしも必要なものではない。パイプ保持装置２１は、各パイプ７ａ、７ｂ、７ｃに接続されており、パイプをパイプ接続ボックス５に対して一緒にスライドさせることができる。本発明の実施形態では、パイプシャフトモジュールは、パイプをスライドさせてパイプ接続ボックス５内に突出させるために、前記パイプ保持装置２１をガイド可能とするガイドレール２３ａ、２３ｂをさらに備える。前記ガイドレール２３ａ、２３ｂは、パイプ保持装置２１をガイドレール２３ａ、２３ｂに対して少なくとも２つの異なる位置にロックするように構成された少なくとも１つのロック機能２５を備えることにより、パイプ接続ボックス５への突出量が相違するパイプ７ａ、７ｂ、７ｃのために、少なくとも２つの異なる位置を可能にする。別の実施形態では、１つのガイドレールのみが、例えば、パイプの後方の中間位置に設けられる。
【００３１】
本発明に係るパイプシャフトモジュールは、本発明に係る別のパイプシャフトモジュール１に接続されるように構成されている。例えば、建物のパイプシャフトの各フロアに１つのパイプシャフトモジュール１を設けることができる。パイプ７ａ、７ｂ、７ｃの第２端部１０ａ、１０ｂ、１０ｃは、下方の床のパイプシャフトに設けた別のパイプシャフトモジュール１のパイプ受入口１５ａ、１５ｂ、１５ｃに受入可能に下方の床まで突出するように設けられている。
【００３２】
図２は、建物のパイプシャフト３に前記パイプシャフトモジュール１を取り付ける本発明の一実施形態に係る方法のフローチャートである。方法の手順を以下に説明する。
【００３３】
Ｓ１：図１Ａから図１Ｄについて前述のように、建物のパイプシャフト３にパイプシャフトモジュール1を設ける。パイプシャフトモジュールは、パイプシャフト３に送達して配置された際、図１Ａについて説明するように、第１取付段階で設けられる。
【００３４】
Ｓ３：パイプ接続ボックス５に対して、パイプシャフトモジュール１の少なくとも１つのパイプ７ａ、７ｂ、７ｃを、スライド後の少なくとも１つのパイプ７ａ、７ｂ、７ｃがパイプ内に突出する方向にスライドさせるステップ。接続ボックス５はスライド前よりも距離が短くなる。これは、図１Ｂに示すように第２取付段階である。パイプ保持装置２１が前述のように設けられる場合（但し、必須ではない）、スライドステップＳ３は、少なくとも１つのガイドレール２３ａ、２３ｂに沿ってパイプ接続ボックス５の外側でパイプ７ａ、７ｂ、７ｃを保持すると共に、前記パイプ保持装置２１を少なくとも２つの異なる位置で少なくとも１つのガイドレール２３ａ、２３ｂにロックするパイプ保持装置２１によって提供することができる。
【００３５】
Ｓ５：パイプ接続ボックス５内のパイプ接続装置１１を、１つのパイプコネクタ１３ａ、１３ｂ、１３ｃがパイプシャフトモジュール１の各パイプ７ａ、７ｂ、７ｂに接続できるようにパイプコネクタ１３ａ、１３ｂ、１３ｃが配置される接続位置に移動するステップである。
【００３６】
Ｓ７：各パイプ７ａ、７ｂ、７ｃの第１端部９ａ、９ｂ、９ｃをそれぞれ各パイプコネクタ１３ａ、１３ｂ、１３ｃに接続するステップである。これは、図１Ｃに示すように第３取付段階である。
【００３７】
Ｓ９：少なくとも１つのパイプ７ａ、７ｂ、７ｃの第１端部９ａ、９ｂ、９ｃとは反対側の端部である第２端部１０ａ、１０ｂ、１０ｃを、本発明に係る別のパイプシャフトモジュール１のパイプコネクタ１３ａ、１３ｂ、１３ｃに接続するステップであって、他のパイプシャフトモジュール１をパイプシャフト３の別の部分に設けるステップである。
【００３８】
Ｓｌｌ：パイプシャフトモジュール１の各パイプコネクタ１３ａ、１３ｂ、１３ｃを、異なるパイプシャフトモジュールからの２つのパイプが各パイプコネクタ１３ａ、１３ｂ、１３ｃを介して接続されるように、パイプシャフトモジュール１の別の部分に設けた別のパイプシャフトモジュール１からそれぞれ１つのパイプ７ａ、７ｂ、７ｃの第２の端部１０ａ、１０ｂ、１０ｃに接続するステップである。図１Ｄでは、別のパイプシャフトモジュールから来るパイプの第２端部には、１７ａ、１７ｂ、１７ｃの符号が付与されている。しかしながら、これらのパイプ１７ａ、１７ｂ、１７ｃは、必ずしも本発明に係るパイプシャフトモジュールから来ているわけではなく、建物内に提供されている他のパイプであってもよい。
【００３９】
本発明に係るパイプシャフトモジュール１は、建物のパイプシャフト３で互いに接続された本発明に係るパイプシャフトモジュール１列の第１又は最後とすることができるので、ステップＳ９及びＳ１１は、必ずしも両方設ける必要はない。
【００４０】
接続後にパイプ接続ボックス５の外側に設けるパイプ７ａ、７ｂ、７ｃの一部を隔離するステップＳ１３を設けるのは任意である。図１Ｄのパイプには分離して設けることが示されているが、本発明で分離は必ずしも必要ない。
【図１Ａ】
2021525845.tif 000003
【図１Ｂ】
2021525845.tif 000004
【図１Ｃ】
2021525845.tif 000005
【図１Ｄ】
2021525845.tif 000006
【図２】
2021525845.tif 000007
【国際調査報告】
2021525845.tif 000008
2021525845.tif 000009